Podtech/llm-jp-corpus-v4-ja_patent huggingface dataset:
(57)【要約】      （修正有）【課題】寿命を長持ちさせ石等の多い場所でも使えるようにし、切れなくなった刃でも副刃によって草刈りが出来る草刈り機の刃を提供する。【解決手段】円盤型の刃の外周部分に回転自在の板状の副刃を連結し、遠心力で外側に突出した副刃で殆どの草を刈る事が出来るようにした。石等の多い所で使用するときには副刃が先にそれらに触れた時点でわかるので、本体の刃がぶつからないよう注意して作業出来るので本体の刃１を長持ちさせる事が出来る。また本体の刃１が切れなくなっても副刃で通常の草刈りは出来る。【選択図】図２
0003154820.tif 000002
【実用新案登録請求の範囲】
【請求項１】
円盤型の草刈り機の刃▲１▼の外周部近くの対角線上の２点に穴▲２▼を設けた  または等間隔に４点に穴▲２▼を設けた副刃装着型の草刈り機の刃。
【請求項２】
草刈り機の刃▲１▼の副刃装着用の穴▲２▼に板状の副刃▲３▼が連結部を中心に自在に動くように  また着脱が出来るように連結した副刃装着型の草刈り機の刃
【請求項３】
副刃装着用の穴▲２▼に二つ折りにしたワイヤ状の副刃▲８▼を差し込みボルトまたはピン▲５▼で落ちないように装着した副刃装着型の草刈り機の刃
【考案の詳細な説明】
【技術分野】
【０００１】本案は草刈り機の刃に関する考案である。
【背景技術】
【０００２】  従来の草刈り機の刃は円盤状になっており外周部分に等間隔に切り歯が設置されており  高速回転で使用中石等にぶつかると切り歯の部分が飛んで無くなってしまい  そのうち刃そのものが使えなくなってしまい  刃の寿命が短かった。またワイヤを高速回転させて草を刈るタイプもあるが、これ等は細く柔らかい草  そして石なんかに当たりやすい背の低い草には有効であるが丈夫な草には歯がたたず役にたたないと言う問題点があった  そして切れなくなった刃は今までは捨てるしかなかった、また刃の軽量化の為円盤内に多くの穴が開けてあるタイプの物もあるが  これらは目的が違い  最良の位置にこの為に開けてある穴ではなかった。
【考案の開示】
【考案が解決しようする課題】
【０００３】本案は円盤状の刃の対角線上の外周に近い２点に３６０度回転自在の板状の副刃を設置することにより高速回転によって外側に遠心力で突出した副刃が先に切れる草を切り丈夫な草は本体の刃で切り  また石等にも副刃が先に当たって内側に逃げるので本体の刃を痛めることなく寿命を長持ちさせ石等の多い場所でも使えるようにした  もので、また切れなくなった刃でも  副刃によって草刈りが出来るようにした考案である。
【課題を解決するための手段】
【０００４】本案は円盤状の刃▲１▼の外周部に近い位置そして対角線上にある２点に穴▲２▼を設け、板状の副刃▲３▼の一端にも同型の穴▲４▼を設け穴どうしをボルトまたはピン▲５▼で連結出来るようにした、構造の  副刃装着型の草刈り機の刃である。
【考案の効果】
【０００５】本案を利用するときには、本考案の副刃装着型の穴付き草刈り機の刃▲１▼を草刈り機に取り付け、穴▲２▼  と板状の副刃▲３▼の穴▲４▼をボルトまたはピン▲５▼で連結させ、草刈り機を始動高速回転にして遠心力で副刃▲３▼を外側に突出させ地面すれすれや石の多い所等に使用すると  先に副刃が当たって本休の刃▲１▼の切り歯▲６▼を痛める事無く長持ちさせることが出来る。また、丈夫な草の場合副刃▲３▼では切れず本体の刃▲１▼の内側に弾かれ隠れるので本体の刃▲１▼の切り歯▲６▼で切ることが出来るので丈夫な草も切ることが出来、ワイヤタイプの草刈り機を使うことなくＩ台でどのような状況でも使用出来る  副刃▲３▼が消耗してきたら新しい副刃▲３▼をピン▲５▼を抜いて装着し直せばよく刃▲１▼の寿命が延びる  また刃▲１▼が切れなくなったとしても  副刃だけでも通常の草刈りは出来る、それ以上に副刃▲３▼の材質  大きさを替えることによって本体の刃▲１▼では  切れなかった丈夫な草木も切れるようになる、そして草刈り機は全国に普及しているものであって多くの人に利用してもらえることが出来るので  全国的に経費の節減にも役立つ。
【考案を実施するための最良の形態】
【０００６】本案は円盤型の草刈り機の刃とワイヤタイプの草刈り機を両方兼ね備えた物であるから石の多い地面すれすれの草刈り  丈夫な草の切り倒しにこれ１台で対応できる。
副刃としてＬ型の棒状の副刃▲７▼の一端を穴▲２▼に装着できる構造にしたもの、また  ワイヤ状の副刃▲８▼を二つ折りにし穴▲２▼に差し込み  折り角が穴▲２▼にくるようにし落ちない構造にしたものでも同様の効果が得られる  また外周部に対角線上に設けた穴▲２▼は等間隔であれば４カ所でも良い  そして副刃も４枚装着しても良い。【０００７】本案を石等の多い所で使用するときには  副刃が先にそれらに触れた時点でわかるので、本体の刃がぶつからないよう注意して作業出来るので本体の刃▲１▼を長持ちさせる事が出来る  また本体の刃▲１▼が切れなくなっても副刃で通常の草刈りは出来る。
上記のような構造をしたものを基本とする。【０００８】
【図面の簡単な説明】
【０００９】
【図１】  本考案の平面図
【図２】  本考案の板状の副刃を装着した状態の斜視図
【図３】  本考案の棒状の刃を装着した状態の側面図
【図４】  本考案のワイヤを二つ折りにした刃を装着した状態の側面図
【図５】  本考案の板状の刃の斜視図
【符号の説明】      ▲１▼  円盤状の本体の刃
▲２▼  副刃を装着する穴
▲３▼  板状の副刃
▲４▼  板状の副刃の穴
▲５▼  ピン
▲６▼  本体の刃の切り歯
▲７▼  棒状の副刃
▲８▼  二つ折りにしたワイヤ状の副刃
【図１】
0003154820.tif 000003
【図２】
0003154820.tif 000004
【図３】
0003154820.tif 000005
【図４】
0003154820.tif 000006
【図５】
0003154820.tif 000007
(57)【要約】      （修正有）【課題】肥満防止のため、圧力センサーを利用して簡易に食餌量を計測出来る食餌量測定器を提供する。【解決手段】椅子の上に圧力センサー２を置き、その上に座り、食事をすると食餌量が、リアルタイムで無線または有線により、表示装置１に表れるように構成する。【選択図】図１
0003154816.tif 000002
【実用新案登録請求の範囲】
【請求項１】
食餌量がリアルタイムで分かる測定器。
【考案の詳細な説明】
【技術分野】
【０００１】  本考案は、圧力センサーを利用し食餌量をリアルタイムで測定出来る。
【背景技術】
【０００２】  現在  肥満による健康被害が問題となっている。
【考案の開示】
【考案が解決しようとする課題】
【０００３】  肥満による健康被害が危ぐされている、本考案は肥満防止を課題とする。
【課題を解決するための手段】
【０００４】  この課題を解決するため請求項の考案は  食事中、椅子の上の圧力センサーに座ることにより、食餌量がリアルタイムで測定出来る。
【考案の効果】
【０００５】  本考案により、食餌量を管理することが出来  肥満防止に寄与する。
【考案を実施するための最良の形態】
【０００６】    本考案に係る  食餌量測定器は図１に示すように椅子の上に圧力センサーを置き、その上に座り、食事をすると食餌量が、リアルタイムで無線または有線により、表示装置に表れる。
【図面の簡単な説明】
【０００７】
【図１】  本考案に係る、圧力センサーを椅子の上に置き、その上に当事者が座りその時の測定値を示している表示装置の図である。
【図２】  表示装置の拡大図である。
【符号の説明】
【０００８】  １、表示装置
２、圧力センサー
３、電波発信部
４、電波受信部
５、数字表示部
【図１】
0003154816.tif 000003
【図２】
0003154816.tif 000004
【手続補正書】
【提出日】平成21年7月27日(2009.7.27)
【手続補正１】
【補正対象書類名】実用新案登録請求の範囲
【補正対象項目名】全文
【補正方法】変更
【補正の内容】
【実用新案登録請求の範囲】
【請求項１】
食事時に圧力センサーの上に座ることにより、その時に感知した数値が表示部に表され、食餌量がリアルタイムで分かる測定器。
(57)【要約】      （修正有）【課題】皮膚の凸部をうまく洗浄できるブラシを提供する。【解決手段】植設台の上面と垂直な方向にスライドする複数の植設台を設ける。【選択図】図３
0003154817.tif 000002
【実用新案登録請求の範囲】
【請求項１】
複数の突出するスライド構造を有するブラシの植設台
【考案の詳細な説明】
【技術分野】
【０００１】この考案は頭皮を洗浄したり、皮膚を洗浄したりするブラシに関するものである。
【背景技術】
【０００２】従来の皮膚を洗浄するブラシは植設台が平面で、ここに同じ長さのブリッスルを植設したものが多く作られている。
【考案の開示】
【考案が解決しようとする課題】
【０００３】従来の皮膚を洗浄するブラシはブリッスルの表面が平面で、皮膚の凸部をうまく洗浄することができない。
【課題を解決するための手段】
【０００４】〔図１〕が平面図で〔図２〕が側面図の複数の突出するスライドをもつ本考案のブラシを提供する。
【考案の効果】
【０００５】本考案を〔図３〕のようにスライドさせると〔図４〕のように凸状体の凸面にそってブラシが、均一に接して洗浄することができる。
【実施例】
【０００６】〔図４〕のように凸状体に均一に接するので、均一に洗浄することができる。
【産業上の利用可能性】
【０００７】本考案のブラシはスライド部を調整することにより、皮膚の曲面に合わせて効率よく洗浄することができる。
【図面の簡単な説明】
【０００８】
【図１】本考案のブラシの平面図
【図２】本考案のブラシの側面図
【図３】本考案のブラシのスライド部を突出させた図
【図４】本考案のブラシで凸状体を洗浄する図
【図１】
0003154817.tif 000003
【図２】
0003154817.tif 000004
【図３】
0003154817.tif 000005
【図４】
0003154817.tif 000006
【手続補正書】
【提出日】平成21年7月23日(2009.7.23)
【手続補正１】
【補正対象書類名】実用新案登録請求の範囲
【補正対象項目名】全文
【補正方法】変更
【補正の内容】
【実用新案登録請求の範囲】
【請求項１】
植設台に植設台の上面と垂直な方向にスライドする複数の植設台を設けたブラシ
(57)【要約】      （修正有）【課題】部品を紛失することなく簡単に設置収納できるゴミ保護カバーを提供する。【解決手段】略正方形から成る４枚の網状の外枠と、４枚の外枠の相対する２辺を、連結具で全て連結して囲い枠を形成し、外枠の内のいずれか１枚の上辺に、連結具により上蓋を連結したことを特徴とする。【選択図】図１
0003154819.tif 000002
【実用新案登録請求の範囲】
【請求項１】
鉄線で外枠を曲げ加工し全て正方形である枠5枚で1セットとし連結具に余裕を持たせ連結具の取り付け位置も重なり合わないように上下に工夫し側面4枚上面蓋1枚が同時に5枚重なり1面に畳めるようになっており、略正方形と長方形から成る4枚の網状の外枠と4枚の外枠の相対する２辺を連結具で全て連結し囲い枠を形成し外枠の内いずれか１枚の上辺に連結具により上蓋を連結した事を特徴とするゴミ保護カバー。
【考案の詳細な説明】
【技術分野】
【０００１】
本考案はゴミ保護カバーに関するものである。
【背景技術】
【０００２】
構成面に金網を用いた折畳式仮設ごみ囲いとして実用新案登録第3079626号など2面折りたたみの物がある。
【先行技術文献】
【特許文献】
【０００３】
【特許文献１】実用新案登録第3079626号
【考案の概要】
【考案が解決しようとする課題】
【０００４】
外枠をパイプ加工してあるために水がパイプ内にたまり腐食し易く,組み立てに2面ずつ組むため組み立て解体に面倒で，上面のシートは破損しやすい欠点がある。
【課題を解決するための手段】
【０００５】
本考案は鉄線で外枠を曲げ加工し全て正方形である枠５枚で１セットとし,連結具に余裕を持たせ連結具の取り付け位置も重なり合わないよう上下に工夫し,側面4枚と上面蓋1枚が同時に5枚重なり1面に畳めるようになっている。      
略正方形と長方形からなる４枚の網状の外枠と４枚の外枠の相対する２辺を連結具で全て連結し囲い枠を形成し外枠の内のいずれか１枚の上辺に連結具により上蓋を連結した事を特徴とするゴミ保護カバー。
【考案の効果】
【０００６】
この本考案のゴミ保護カバーは5面が同じ正方形であり上面も一体化されている為部品の紛失も無く簡単に設置収納が出来る
【図面の簡単な説明】
【０００７】
【図１】本考案の斜視図
【図２】本考案の上蓋を開けた状態を示す
【図３】本考案のゴミ保護カバーを折りたたんだ状態を示す図
【考案を実施するための形態】
【０００８】
本考案に係るゴミ保護カバーは図1で示すように,5枚の金網で組み立ててあり上ふたが開閉されるように工夫され,設置後もゴミの出し入れが簡単である,大きさも設置条件に合わせて組み立てる事ができる事が特徴である。
外枠の相対する２辺を連結具で連結し囲い枠とするが,連結具はパイプ状又はリング状とし囲い枠が図３に示すように折畳むことができるようにする。
【符号の説明】
【０００９】
１        ゴミ保護カバー
２        囲い枠
３        蓋
４        外枠
５        連結具
【図１】
0003154819.tif 000003
【図２】
0003154819.tif 000004
【図３】
0003154819.tif 000005
【手続補正書】
【提出日】平成21年8月6日(2009.8.6)
【手続補正１】
【補正対象書類名】実用新案登録請求の範囲
【補正対象項目名】全文
【補正方法】変更
【補正の内容】
【実用新案登録請求の範囲】
【請求項１】
略正方形から成る4枚の網状の外枠と4枚の外枠の相対する2辺を連結具で全て連結し囲い枠を形成し外枠の内のいずれか1枚の上辺に連結具により上蓋を連結したことを特徴とするゴミ保護カバー。
【手続補正２】
【補正対象書類名】明細書
【補正対象項目名】０００４
【補正方法】変更
【補正の内容】
【０００４】
略正方形から成る4枚の網状の外枠と4枚の外枠の相対する2辺を連結具で全て連結し囲い枠を形成し外枠の内のいずれか1枚の上辺に連結具により上蓋を連結したことを特徴とするゴミ保護カバー。
(57)【要約】      （修正有）【課題】大型食用油ボトル（１，０００ｇ〜１，５００ｇなど）から、フライパン等に油を注ぐとき、少量づつ出るように油の量を調節することができるようにしたボトル出口に装着するふたを提供する。【解決手段】大径ボトル４の油口に、円形板１からなるふたを装着し、該円形板１の中心に対して両端付近に小孔２，３を設ける。ふたを装着した大径ボトル４を傾けると、小孔２又は３から、油を線状に垂らすことができる。油が出てくる小孔２又は３の反対側の小孔３又は２は、空気の入口として作用する。【選択図】図３
0003154523.tif 000002
【実用新案登録請求の範囲】
【請求項１】
円形板（１）の両端近くに（２）（３）のように複数の小孔を設けた構造で、食用油ボトルの出口に装着するふた。
【考案の詳細な説明】
【技実分野】
【０００１】  本考案は、１．０００ｇ〜１５００ｇ，の容量の大きい油ボトル（サラダ油等）から簡単に少量づつ食用油を注ぎだすことができる、出油量制限に関するものである。
【背景技術】
【０００２】  大きなボトルのから、少量の油注ぎ出す装置は開発されていない、本考案に類似する製品も皆無である。
【考案の開示】
【考案が解決しようとする課題】
【０００３】  本考案は毎日使用する食用油の利用法を便利にしようとしたものである、大きい油ボトルから揚げ鍋に油を注ぐのは月に数回、然し朝の目玉焼き、夕餉の野菜炒等、少量づつ使用する回数はかなり多い。でも大ボトルの油を使った方が安価なので、大きいボトルから注いで使用する頻度が多い、ボトルの油口は大きいのでフライパンに油が出過ぎないかの懸念を、解決すためなされたものである。
【課題を解決するための手段】
【０００４】  円形板（１）の両端近くに（２）、（３）のような複数の、小孔を設けた構造で、食用油ボトルの出口に装着するふた。
【考案の効果】
【０００５】  本考案のふた（１）を［図２］に示すように油ボトルに装着すれば、フライパンに油を敷くときは、ボトルを傾ければ油をフライパン上に線状に垂らすことができる。大きい油ボトルから少量の油を使用するとき効果を発揮する。
取り付け方…ボトルの油出口に［図２］のように装着する。取り外し方…爪楊枝状の細い棒を（２）か（３）の小孔に差し込んで持ち上に上げる。何度でもくり回し使用できる。ボトルを逆さにしてもふたは落ちない。
【考案を実施するための最良の形態】
【０００６】  本考案は食用油大ボトルから少量ずつ油を取り出せるように、ボトルの油の出口に、円形板（１）を設けたものである。
【実施例】［図３］で実施例を示す。
本考案のふたを食用油ボトルに装着しておけばボトルを傾けると、油は（２）、の小孔から少量ずつ流れ出す。毎日頻繁に使用する野菜炒め、や目玉焼きに適量の油を、フライパン上に線状に垂らせる。（３）、は空気の入り口。
【図面の簡単な説明】
【図１】  小孔（２）（３）を設けた円形板の斜視図。
【図２】  ボトルに円形板を装着した図。
【図３】  油が出るようボトルを傾けた、本考案実施の形態である。
【符号の説明】  １    円形板
２    油の出口
３    空気の入り口
４    ボトル
【図１】
0003154523.tif 000003
【図２】
0003154523.tif 000004
【図３】
0003154523.tif 000005
(57)【要約】      （修正有）【課題】ＡＴＭ手数料の減額および操作方法の分かりやすい多機能ＡＴＭを提供する。【解決手段】表示画面を２ヶ所設け、１ヶ所を銀行取引用、もう１ヶ所を広告宣伝およびＡＴＭ操作説明用に利用する。【選択図】図１
0003154522.tif 000002
【実用新案登録請求の範囲】
【請求項１】
本考案の多機能ＡＴＭは２つの映像表示部を有し、そのうち１つは銀行取引用であり、もう１つは広告宣伝およびＡＴＭ操作の説明のために利用されることを特徴とする多機能ＡＴＭ。
【請求項２】
本考案の多機能ＡＴＭはインターネット無線及び有線送受信機と、広告宣伝用の映像再生装置を有し、該映像再生装置が以下の（１）から（２）の少なくともいずれかの装置；
（１）インターネット無線及び有線送受信機により情報センターから受信した映像および音声を映像表示部およびスピーカーに再生可能とする装置、
（２）ＵＳＢやＤＶＤ等に記憶された映像および音声を映像表示部およびスピーカーに再生可能とする装置、
であること特徴とする請求項１の多機能ＡＴＭ。
【請求項３】
本考案の多機能ＡＴＭは防犯カメラを有し、該防犯カメラの映像を請求項２に記載のインターネット無線及び有線送受信機により情報センターに送信することが可能であることを特徴とする請求項１から２いずれかに記載の多機能ＡＴＭ。
【考案の詳細な説明】
【技術分野】
【０００１】  本考案は、映像による広告宣伝機能、ＡＴＭ操作方法説明機能、防犯機能等を付与した機能性の高いＡＴＭ（Ａｕｔｏｍａｔｉｃ  Ｔｅｌｌｅｒ  Ｍａｃｈｉｎｅ：現金自動預入支出機）に関する。
【背景技術】
【０００２】  近年、金融機関が提供するサービスは多様化しており、ＡＴＭの増設が進んでいる。特にコンビニエンスストアに設置することを目的とした，いわゆる「コンビニＡＴＭ」の増加が顕著である。一般的に店舗外ＡＴＭは駅前周辺などの繁華街に多く設置され，住宅街には少ないという問題点があった。しかし，コンビニエンスストアは住宅街にも多く設置されており，利便性の観点からも有力であった。２４時間営業で行われているほか，金融機関単独で店舗外ＡＴＭを設置するよりコストを大幅に削減することができたため，コンビニＡＴＭは急速に広がっていったのである。また、金融機関内においても、コスト削減や防犯の観点から、ＡＴＭにおける取引件数は増加している。そのため、利用者は早朝や深夜でも容易に銀行取引を行うことができるようになった。また、多くのコンビニＡＴＭは複数の金融機関の取引が可能であり、自らが契約をしている金融機関の店舗や店舗外ＡＴＭを探す煩わしさからも解放された。しかし、こうしたＡＴＭを利用する際に手数料が発生する場合が多く、それが利用者の負担になっているという現状がある。また、操作方法の説明スペースが小さく、特に高齢者には操作方法が分かりづらいという不便もある。
【考案の概要】
【考案が解決しようとする課題】
【０００３】  上記の問題点に鑑み、本考案は、ＡＴＭ手数料の減額および操作方法の分かりやすい多機能ＡＴＭを提供することを課題とした。
【課題を解決するための手段】
【０００４】  上記課題を解決するために、本考案者は表示画面を２ヶ所設け、１ヶ所を銀行取引用、もう１ヶ所を広告宣伝およびＡＴＭ操作説明用に利用することを見いだした。
【考案の効果】
【０００５】＜１＞  一般に、銀行取引業務を行う機能のみを有するＡＴＭに、広告宣伝機能、緊急時対応機能、操作説明補助機能、を有することで利用者に利便性や安全性を提供する。
＜２＞  前記の広告宣伝機能に関しては、広告宣伝を行うことにより、金融機関は新たな収入を得て、ＡＴＭ手数料の引き下げや無料化の実現が可能になる。
＜３＞  前記の緊急時対応機能に関しては、異常事態を遠隔地からも監視、通報できることから、犯罪の防止や火災や地震等の事故、災害時に緊急情報を提供できる等、社会に安全を提供する。
＜４＞  前記の操作説明補助機能は、一般に銀行取引用の表示部や印刷物ポスター等で行われていたが、本考案では、独立した表示部で説明を行うため、利用者は説明を理解しやすく、結果、利用者の利便性が向上する。
【図面の簡単な説明】
【０００６】
【図１】  本考案の実施形態における多機能ＡＴＭの正面図である。
【図２】  本考案の実施形態における多機能ＡＴＭと情報センターの関係を例示した図である。
【考案を実施するための形態】
【０００７】  以下、図を用いて本考案の実施形態について説明する。図１は本考案の多機能ＡＴＭの正面図であり、ＡＴＭ本体（２）は銀行取引用表示部（３）を有し、一般的なＡＴＭ機能を備え、利用者は預金や預金の引き出し等の銀行取引をすることができる。また、広告宣伝および操作補足説明用表示部（４）を有する。
【０００８】  広告宣伝および操作補足説明用表示部（４）では、映像による広告宣伝が行われる。また、利用者がＡＴＭ操作方法に関して説明が必要な場合は、ＡＴＭ本体を操作することにより、該表示部にＡＴＭ操作方法を表示させることができる。
【０００９】  図２は本実施形態の多機能ＡＴＭと情報センター（６）の関係を例示しており、情報センターから映像および音声情報がインターネット無線及び有線受送信機（図示していない）を介して配信され、映像再生装置（図示していない）やスピーカー（図示していない）により前記の広告宣伝および操作補助説明用表示部に再現される。
【００１０】  前記の映像再生装置について詳しく説明する。該装置は以下の＜１＞から＜２＞の少なくともいずれかの装置；
＜１＞インターネット無線及び有線送受信機により情報センターから受信した映像および音声を広告宣伝および操作補足説明用表示部（４）またはスピーカーに再生可能とする装置、
＜２＞ＵＳＢやＤＶＤ等に記憶された映像および音声を広告宣伝および操作補足説明用表示部（４）またはスピーカーに再生可能とする装置、
を有することを特徴とする。また、スピーカーと映像再生装置はブルートゥース等の短距離無線で接続されていることが、煩雑な配線作業の必要がなく望ましい。
【００１１】  さらに、防犯カメラ（５）を有し、該防犯カメラの映像はインターネット無線及び有線送受信機を介して情報センターに随時送信される。情報センターでは必要に応じて防犯カメラの映像を監視して、異常時には通報を行うと同時に、緊急映像や音声を送信し、映像表示部またはスピーカーから放送し、ＡＴＭ周囲の人々に緊急情報を知らせることができる。
【符号の説明】
【００１２】１      多機能ＡＴＭ
２      ＡＴＭ本体
３      銀行取引用表示部
４      広告宣伝および操作補足説明用表示部
５      防犯カメラ
６      情報センター
【図１】
0003154522.tif 000003
【図２】
0003154522.tif 000004
(57)【要約】      （修正有）【課題】妨害電波を発射することなく携帯電話端末の使用抑制を促す電波検知装置を提供する。【解決手段】電波を検出するアンテナ６と電波の強さを図る電界強度計８との間にハイパスフィルター７もしくはバンドパスフィルターを備える。【選択図】図２
0003154528.tif 000002
【実用新案登録請求の範囲】
【請求項１】
電波を検出する「アンテナ」と電波の強さを測る「電界強度計」との間に「ハイパスフィルター」もしくは「バンドパスフィルター」を備えた電波検知装置。
【請求項２】
請求項１に於ける電波検知装置で電界強度計と出力回路の間に雑音電波による不要信号を除外する「信号処理回路」を備えた電波検知装置。
【考案の詳細な説明】
【技術分野】
【０００１】
本考案は携帯電話端末から発射される電波を至近距離で検出する装置（以下、本装置  とする）に関するものである。また、ここで言う至近距離とは電波の発射源である携帯電話端末から１ｍ〜２ｍ位までの距離とする。
【背景技術】
【０００２】
振り込め詐欺に代表されるように金融機関などにおけるＡＴＭ装置の至近距離で携帯電話端末が使用される場合、ＡＴＭ装置の至近距離で携帯電話端末が使用されていることを視認できない位置で第三者が認知することは容易ではない。また携帯電話端末とＡＴＭ装置を使った振り込め詐欺防止の方法の一つとしてＡＴＭ装置の近辺で携帯電話端末を使用できなくする方法もある。
【０００３】
この携帯電話端末を使用できなくする方法とはＡＴＭ装置の近辺で携帯電話端末に対する妨害電波を発射する事により携帯電話端末が目的の電波を受信できなくしてしまう方法のことである。
【０００４】
ただ、この方法だと電波を発射する事で電波法により免許の規制を受ける場合が有る事と、近くで振り込め詐欺とは関係の無い必要な通話をしている携帯電話端末も目的電波の受信が出来なくなり通話不能となってしまう弊害がある。この必要な通話が通話不能となる事は通話している当事者にとってきわめて迷惑なことである。
【考案の概要】
【考案が解決しようとする課題】
【０００５】
電波法により免許の規制を受けるような電波や規制を受けない微弱な電波でも妨害電波を発射すると、その装置の近辺では携帯電話端末が「圏外」となり通話が出来なくなってしまう。この事で振り込め詐欺とは関係の無い必要な通話をしている携帯電話端末も通話不能となってしまう。
【０００６】
また携帯電話に使用されている電波の周波数は約７００ＭＨｚ〜２．２ＧＨｚと広い範囲に渡っているために一つ一つの使用周波数をそれぞれの周波数で検知しようとすると検知装置も複数台必要となり、装置の大型化や高価格化が懸念される。
【０００７】
使用する環境によっては自動ドアなどに使用して有る電波を使った人体検知装置やパーソナルコンピューターなどのＯＡ機器からもパルス性の不要な雑音電波が発射されている。また弱くてもテレビの放送電波やその他の装置から常時電波が発射されていてこれ等の電波は本装置としては不要なものでありこれらの電波の強さは検出かそうで無いかの判定に関わる重要な不安定要素であり、本装置の誤動作を招きかねない。     
【課題を解決するための手段】
【０００８】
本装置では電波は発射しない既存の「電界強度計」と呼ばれる選択回路を持たない測定器の回路を使用して広い周波数にわたる携帯端末の電波を検知する。このために携帯電話端末の通話を妨げない。
【０００９】
しかしこのままでは選択回路を持たないために広範囲の周波数にわたり検知することは可能だが電波の強度さえ強ければ目的の携帯電話端末の電波以外の全ての電波を検知してしまう。これを「目的外電波の検出」と呼ぶ。
この「目的外電波の検出」を極力避けるために「電界強度計」の入力部に携帯電話に使用される電波の一番低い周波数よりも低い周波数の電波を低減除外する「ハイパスフィルター」をとりつけ、目的の役に供する。
【００１０】
目的外の電波は携帯電話に使用される周波数の上限よりさらに上にも存在するが、これは携帯電話に使用される上限の周波数がかなり高いことも相俟って伝送損失が発生しこれが「ローパスフィルター」と同じような働きをするためにここでは特には取り付けないが、（０００９）の項で述べた「ハイパスフィルター」の機能と相俟って全体として「バンドパスフィルター」を挿入した時と同じ働きとなる。また（０００８）と（０００９）で述べたことで電波を検知する装置を一組で構成することができ、装置を小型、かつ安価に製作できるようになる。
【００１１】
目的外電波はこの他にも電波を使った人体検知器やＯＡ機器からも常時発射されている。常時発射されている電波を含めてこれらの電波を検出して検出した信号の「信号処理回路」を持ち、使用の開始時や必要に応じて押しボタンスイッチなどにより指示することで周囲の雑音電波の強さを測定し検出かどうかを判断する判定点を自動的に設定することにより、誤動作を防止する。
【００１２】
妨害電波を発射する装置とは違い、至近距離で携帯電話端末から発射される電波を検知しただけでは用を成さない。そのために本装置ではブザーや表示ランプを内蔵したり外部の装置に接続できる出力接点を持ち、至近距離で電波が発射されたことを検知した場合はこれを作動させ本装置の至近距離で電波が発射されていることを周囲に知らせる。
【図面の簡単な説明】
【００１３】
【図１】ＡＴＭ装置の上に本装置を設置し使用している使用参考図である。
【図２】本装置の構成図である。
【符号の説明】
【００１４】
１  ＡＣアダプター
２  電源接続用電線
３  本装置
４  ＡＴＭ装置
５    電源回路
６    アンテナ
７    ハイパスフィルター
８    電界強度計
９    信号処理回路
１０  出力回路
１１  表示ランプ、ブザー等出力機器
【図１】
0003154528.tif 000003
【図２】
0003154528.tif 000004
(57)【要約】      （修正有）【課題】丈の変更を不可能にするスカートを提供する。【解決手段】吊りスカートの吊り部材１の最も下の部分に下向きのファスナーを水平に付け、またそのファスナーと噛み合うようにスカート本体２の最も上の部分であるスカート本体腰部２ａに上向きのファスナーを水平に付ける。スカート本体２の側面の縫い合わせの部分に、その最上部近傍から最下部まで通してファスナーを付け、それらでスカート本体２の側面を接合する。【選択図】図１
0003154525.tif 000002
【実用新案登録請求の範囲】
【請求項１】
一端が二股状に分かれ、他端が一体的に形成された吊りスカートの吊り部材の前記一端の最も下の部分及び前記他端の最も下の部分に水平にファスナーを付け、このファスナーと噛み合うようにスカート本体腰部に同じく水平に他方のファスナーを付け、スカートの丈を変更しにくくしたことを特徴とする丈変更不可能スカート。
【請求項２】
スカート本体の側面の縫い合わせの部分に、その最上部近傍から最下部まで通してファスナーを付け、ファスナーでスカート本体の側面を接合することを特徴とする請求項１に記載の丈変更不可能スカート。
【考案の詳細な説明】
【技術分野】
【０００１】  本考案は、ファスナーを利用して丈を変更しにくくしたスカートに関するものである。
【背景技術】
【０００２】  現在、女子中学生、女子高校生のなかには、制服のスカート丈を過度に短くする者が少なからずいる。短くする方法は、大別して２種類ある。１つはスカートの上部を折り上げることであり、もう１つは、スカートの下端を切り取ることである。スカートの上部を折り上げることに対しては、スカートを吊りスカートにして吊り部材とスカート本体をボタンやフック等で接合することによって、ある程度折り上げることを防ぐことができる。一方、スカートの下端を切り取ることに対しては、それを防ぐことができないでいる。
【先行技術文献】
【０００３】
【特許文献１】  実用新案登録第３１２００８０号公報
【考案の開示】
【考案が解決しようとする課題】
【０００４】  現在、女子中学生、高校生のなかには、スカート丈を過度に短くする者が少なからずおり、またそのことが一因となって学校全体の秩序感が希薄になっている。ほとんどの学校でいわゆる「服装検査」等の規制を行っているが、その効果は一過的であり、問題の解決に到っていない。また、従来技術として実用新案登録第３１２００８０号公報に記載されたものがあるが、この技術はウェストサイズを調整するものであり、丈変更を防ごうとするものではない。
【課題を解決するための手段】
【０００５】  請求項１に記載の考案は、前記課題を解決するためになされたものであり、一端が二股状に分かれ、他端が一体的に形成された吊りスカートの吊り部材の前記一端の最も下の部分及び前記他端の最も下の部分に水平のファスナーを付け、このファスナーと噛み合うようにスカート本体腰部に同じく水平に他方のファスナーを付け、この構成によりスカートの丈を変更しにくくしたことを特徴とするものである。【０００６】  請求項２に記載の考案は、スカート本体の側面の縫い合わせの部分に、その最上部近傍から最下部まで通してファスナーを付け、ファスナーでスカート本体の側面を接合すし、この構成によりスカートの丈を変更しにくくしたことを特徴とするものである。
【考案の効果】
【０００７】上記のように構成したので、以下のような効果を奏する。
（１）  丈を変更しにくくしたスカートを着用することにより、女子中学生、女子高校生が制服のスカート丈を短くすることを防ぐことができる。
（２）  丈を変更しにくくしたスカートを着用することにより、学校全体の秩序感を増すことができる。
（３）  「服装検査」に費やされている労力の無駄を省くことができる。
【図面の簡単な説明】
【０００８】
【図１】  ファスナーを使用して丈を変更しにくくしたスカートの斜視図である。
【図２】  吊りスカートの吊りとスカート本体のファスナーを利用した接合部分の拡大図である。
【図３】  スカート本体の側面の縫い合わせの部分のファスナーを利用した接合部分の拡大図である。
【符号の説明】
【０００９】  Ｓ  丈変更不可能スカートの全体
１  吊り部材
２  スカート本体
２ａ  スカート本体腰部
３  ファスナーを用いた吊り部材とスカート本体の接合部分
４  ファスナーを用いたスカート本体側面の接合部分
５  吊り部材の下部のファスナー
６  スカート本体上部のファスナー
７  スカート本体の全体
８  スカート本体の側面のファスナー
９  スカート本体の側面のファスナー
【実施例】
【００１０】  図１において、Ｓは、本考案の丈変更不可能スカートの全体を示す。このスカートは、大別して吊り部材１とスカート本体２からなる。吊り部材１は一端が二股状に分かれ、他端が一体的に形成されている。この吊り部材の一端の最も下の部分及び他端の最も下の部分計３箇所にファスナーが水平に付けられている。これらのファスナーと噛み合うようにスカート本体腰部２ａに他方のファスナーが水平に付けられており、これらのファスナーにより吊り部材１とスカート本体２を接合する。従って、スカートの丈を変更するためにスカート本体腰部２ａを折り込もうとしても、吊り部材１があるため折り込むことが不可能であるのみならず、吊り部材１を切るなどしてスカート丈を変更しようとしても、吊り部材とスカート本体の接合にファスナーを使っていることから、このことも不可能となっている。
図２において、３は、ファスナーを用いた吊り部材とスカート本体の接合部分の拡大図である。吊り部材下部に水平に付けられたファスナー５とスカート本体腰部２ａに水平に付けられたファスナー６が噛み合い吊り部材とスカート本体を接合する。
図３において、７は、スカート本体の全体図を示す。ファスナー８とファスナー９は、スカート本体７を縦に貫いているためスカート丈を変更するために、スカートを横に切断して丈を変更することが不可能となる。
なお、本考案の実施例では、スカート本体７を縦に貫くファスナー８，９を１組としたが、前記スカート本体７の対抗する側面にさらにもう１組のファスナー８，９を設けることもできる。
さらに、吊り部材１の外観をベスト風にすることもできる。
【図１】
0003154525.tif 000003
【図２】
0003154525.tif 000004
【図３】
0003154525.tif 000005
(57)【要約】      （修正有）【課題】使い捨てライター・ボールペンなどの外側にＱＲコード（登録商標）に関する説明を施し、その内部にＱＲコードなどの二次元バーコードを投影できる構造にすることにより、二次元バーコードの普及に寄与する小型の二次元バーコード投影器を提供する。【解決手段】二次元バーコードを印刷した透明フィルム３をＬＥＤ光源４で背面から投影する。焦点を合わすためのレンズ１，２を投影器のハウジング６内に配し、投影画面を鮮明にする。さらに、該投影器を上記の使い捨てライター等に内蔵させる。【選択図】図１
0003154515.tif 000002
【実用新案登録請求の範囲】
【請求項１】
ＱＲコードを１枚の透明のシートに印刷し、ライターやボールペンなどの小物の携行物の内部に内蔵して、その背面からＬＥＤなどで背照して、ＱＲコードを投影することを特徴とした小型ＱＲコード投影器。
【請求項２】
請求項１の小型ＱＲコード投影器を内臓したことを特徴とする小型携行物。
【考案の詳細な説明】
【技術分野】
【０００１】  本考案は、使い捨てライター・ボールペンなどの外側にＱＲコードに関する説明を施し、その内部にＱＲコード（登録商標）が投影できる構造に関する。
【背景技術】
【０００２】  従来のライターによる広告はライターケースやライター包装用ケースによるものであり広告或いはロゴを掲載してあるだけであったり、もしくは、広告主からのコメント、ＱＲコードを掲載し、広告主の企業内容や、サービスなどの情報を明らかにし、広告主に対する透明感をもって消費者の興味や行動意欲を高める事により宣伝効果を強化しようとしたものがあった。（特許文献１参照）。【０００３】
【特許文献１】実用新案登録第３１３５０６０号
【考案の概要】
【考案が解決しようとする課題】
【０００４】  しかしながら、この従来のこれらのものにおいては、ロゴ、マスコットキャラクター付きライターは、知名度の高い企業が、用いることにより宣伝の効果を高めるものであり、認知度の低い企業に対する効果は低く、情報誌、ＴＶなどによる広告では広告費などの経費に莫大な費用を必要とすることや、ロゴを掲載するだけではその広告主の企業内容に透明感がなく、認知度の企業を調べるという行動も消費者には面倒であり、企業ロゴの知名度が低い場合は企業内容、サービス内容などを調べる気さえも起きない。広告主の最新の情報や店舗情報などもパソコンあるいは雑誌等で確認が必要であった。
【課題を解決するための手段】
【０００５】  所期の目的を達成するため本考案の要旨とする構成は企業が消費者に認知してもらいたい最新情報であるＱＲコードを１枚の透明のシートに印刷しライターなどの内部に内蔵して、その背面からＬＥＤなどで背照して、ＱＲコードを投影することにした。【０００６】  このように本考案はライターやボールペンなどに、内臓できる小型のＱＲコード投影器を提供して、情報や企業が乱立する現在で消費者が必要とする企業や情報を消費者自身が直接選ぶ際に探せ、ライターという無機質な物にインパクトと情報媒体としての価値を付与させたものである。【０００７】  携帯電話が普及している昨今、携帯電話に内蔵されているバーコードリーダー機能を活用して、でＱＲコード（登録商標）を読みこくことによって、手軽に広告主の情報サイトを観覧できることより最新の情報、店舗情報を容易に野外でも調べられるようにした。【０００８】  これにより、パソコンや雑誌による確認の手間を省くことができる。さらに喫煙者でなくとも女性などもボールペンやキーホルダーを持っているので、上記の小型ＱＲコード投影器をこれらの小物に内蔵することにより、簡易に携帯できる点で優れている。
【考案の効果】
【０００９】  本考案に係る小型ＱＲコード投影器は、ＱＲコードを背照による投影を行なうので、夜間の屋外など暗いところでも活用できるというメリットを有している。
【図面の簡単な説明】
【００１０】
【図１】本考案の小型ＱＲコード投影器の断面図である。
【考案を実施するための形態】
【００１１】  図１に示すように、ＱＲコードを印刷した透明フィルムをＬＥＤ光源で背面から投影する構造にした。更に、ＱＲコードの投影画像を鮮明にするため焦点を合わすためのレンズを設けた。
【実施例】
【００１２】  「請求項１」の実施形態の例として、図１に示すような構造にした。
【産業上の利用可能性】
【００１３】  本考案の目的は、上記の課題を解消して、小型ＱＲコード投影器として、ＱＲコードを背照による投影を行なうので、夜間の屋外など暗いところでも活用できるというメリットを有しているので、産業上の利用可能性は大であるといえる。
【符号の説明】
【００１４】１、両凸レンズ
２、片凸レンズ
３、フィルム
４、ＬＥＤ光源
５、ボタン電池
６、ハウジング
７、投影されたＱＲコード
【図１】
0003154515.tif 000003
(57)【要約】      （修正有）【課題】痛み、麻痺などを伴う寝たきりの被介護者の体位変換を手助けする体位変換補助用具を提供する。【解決手段】中間部に折り曲げ手段と折り曲げ状態を固定する手段がある板からなる。折り曲げできる板を寝ている被介護者の腰下に差込み、テコの原理で、力少なく被介護者の体位を変換する。【選択図】図４
0003154516.tif 000002
【実用新案登録請求の範囲】
【請求項１】
中間部に折り曲げ手段と折り曲げ状態を固定する手段がある板からなる、寝たきりの被介護者の腰部に差し込んで体位変換をするための体位変換用具。
【請求項２】
中間部に折り曲げ手段と折り曲げ状態を固定する手段がある２枚の板からなる、寝たきりの被介護者の腰部に差し込んで体位変換をするための体位変換用具。
【考案の詳細な説明】
【技術分野】
【０００１】本考案は、病院、施設、在宅療養における、介護用具に関する。
詳しくは、寝たきりの被介護者のオムツ換えや体位変換を行う際の、介護用具に関する。
【背景技術】
【０００２】寝たきりの被介護者（患者とも称す）の介護において、１人では困難なオムツ換えや体位変換が１人で楽にできる上に労力が軽減でき、さらに安全かつ優しい介護ができる用具が各種提案されている。しかし従来のものは操作が複雑であり、安価に製造できない。
手の力で横向きにして、三角形のスポンジなどを差し込むことも行われてる。体位変換は、介護者に負担がかかる労働で介護者の腰痛原因になる。
【先行技術文献】
【特許文献】
【０００３】
【特許文献１】公開特許公報平３−６８３６０
【特許文献２】公開特許公報２００７−２９６７５
【特許文献３】公開特許公報２００８−１５４
【特許文献４】公開特許公報２００８−２３７８５５
【特許文献５】登録実用新案公報第３０４６３７７号
【考案の開示】
【考案が解決しようとする課題】
【０００４】テコの原理を利用すれば、介護者の労働を軽減できる。簡単なテコの原理を利用した体位変換補助用具の提供を課題とした。
【課題を解決するための手段】
【０００５】中間部に折り曲げ手段と折り曲げ状態を固定する手段がある板からなる、寝たきりの被介護者の腰部に差し込んで体位変換をするための体位変換用具を提案。【０００６】中間部に折り曲げ手段と折り曲げ状態を固定する手段がある２枚の板からなる、寝たきりの被介護者の腰部に差し込んで体位変換をするための体位変換用具を提案。
【考案の効果】
【０００７】中間部に折り曲げ手段と折り曲げ状態を固定する手段がある板であるので、寝たきり被介護者の腰部の差し込んでテコの原理で少ない力で、体位変換できる。
さらに板を折り曲げて固定できるので、介護者の手を放しても保持状態にできる。【０００８】中間部に折り曲げ手段と折り曲げ状態を固定する手段がある２枚の板からなる考案は、上記効果のほかに、折り曲げ部分を製造しやすい効果がある。【０００９】本考案物を図５に示すように、寝たきり被介護者の腰部の差し込んでテコの原理で少ない力で、体位変換できる。
横向き体位変換させ、この状態で本考案物を折り曲げ、固定して体位保持する。右左交替で体位変換し、片足と片足のオムツ交換すればよい。
また、床ずれ予防の体位変換もできる。本考案は、テコを折り畳み機能があり、携帯や収容性に優れる。
【考案を実施するための最良の形態】
【００１０】材質として鉄などの金属薄板、もしくは竹や木質その他の強度がある板を利用する。スポンジを被せるなどして硬さを軽減するのがよい。
１枚の板を途中で折り曲げれるようにしてもよく、２枚の板を合わせて折り曲部を儲けた板にしてもよい。
図１に示すような、板１と板２を折り曲げできるように折り曲げ手段３をつける。折り曲げ固定手段として鎖４を固定部５で固定し引っ掛け部６に引っ掛けられるようにする。
図２に示すように使用しないときは、折り畳み、収納しやすくする。【００１１】図３は、折り曲げ固定した本考案の側面図である。図４は斜視図である。図５は本考案しよう説明図である。図５のように寝たきりの大人の腰部隙間に本考案物を差込テコの原理で体位を変換する。
板１が腰部に差し込まれる。そして板２を下に折り曲げ適当な位置に鎖４を利用して固定する。【００１２】このようにして、寝た状態から横向きに体位変換を行う。すなわち、お尻を片方浮き上がらせできる。
横向き状態で寝たきり被介護者の片足を上げて片方をオムツ交換を行う。次に反対側で同様に行いオムツ交換を完結する。また、横向き状態で寝たきり被介護者の片足を上げて片方をオムツ交換を行う時に介護者の両手が自由になるので局部の洗浄や清拭く作業が容易にできる。
【実施例】
【００１３】図１に示すように板１と板２を折り曲げ部３を作り１枚の板にする。この状態でテコのように使用できる。板１の中央に鎖４を溶接で溶接部５に固定する。板２の中央に鎖４を止める折り曲げ突起部６を設ける。実施例の本考案は図２のように折り畳めできる。また図３図４に示す如く、鎖４を利用して三角状態に固定できる。傾きは鎖を利用して調節できる。【００１４】
【産業上の利用可能性】
【００１５】痛み、麻痺などを伴う寝たきり患者の体位変換を手助けする用具として、また、患者のオムツを交換するときの体位変換などの用具として、病院、施設、在宅療養における介護を手助けする体位変換補助用具となる。
【図面の簡単な説明】
【００１６】
【図１】本考案品を伸ばした側面図である。
【図２】本考案品を畳んだ側面図である。
【図３】本考案品を折り曲げ途中で固定した側面図である。
【図４】本考案品の折り曲げ途中で固定した斜視図である。
【図５】本考案品を患者に使用する例の説明図である。
【符号の説明】
【００１７】１・・・板
２・・・板
３・・・折り曲げ部
４・・・鎖
５・・・溶接部
６・・・折り曲げ突起部
７・・・被介護者。
【図１】
0003154516.tif 000003
【図２】
0003154516.tif 000004
【図３】
0003154516.tif 000005
【図４】
0003154516.tif 000006
【図５】
0003154516.tif 000007
(57)【要約】      （修正有）【課題】デザイン性を加え、楽しく使えるゼムクリップを提供する。【解決手段】ゼムクリップの形状を挟んだ物の両面から見てもハート型にすることにより、機能を重視しつつ、かつ楽しく使えるようにする。本ハート型ゼムクリップは、ゼムクリップ本来の挟んでまとめる機能をもちつつ、事務用品には欠けている、使う人の心に潤いを与えることに役立つ。【選択図】図１
0003154512.tif 000002
【実用新案登録請求の範囲】
【請求項１】
ゼムクリップをハート型に加工し、挟んだ物の両面から見ても、ハート型になることを特徴とする、ゼムクリップ。
【考案の詳細な説明】
【技術分野】
【０００１】  本考案は、ハート型にした、ゼムクリップに関するものである。
【背景技術】
【０００２】  従来品は、物を挟んでまとめる機能を重視して作られていた。
【考案の概要】
【考案が解決しようとする課題】
【０００３】  物を挟んでまとめる機能に、見て楽しめ、楽しく使える工夫をするものである。
【課題を解決するための手段】
【０００４】  本考案は、ゼムクリップを挟んだ物の両面から見てハート型になるように加工し、機能本位になりがちなゼムクリップを、機能を保持し、かつ楽しく使えるようにする。
【考案の効果】
【０００５】  上述のように、本考案のハート型ゼムクリップは、ゼムクリップ本来の挟んでまとめる機能をもちつつ、事務用品には欠けている、使う人の心に潤いを与えることに役立つ。
【考案を実施するための形態】
【実施例】
【０００６】  より心を表現するため、メッセージをハート型のゼムクリップで留める。
【図面の簡単な説明】
【０００７】
【図１】本考案のハート型ゼムクリップの全体図である。
【図２】本考案のハート型ゼムクリップの一使用例を示す正面図面である。
【図３】本考案のハート型ゼムクリップの一使用例を示す裏面図面である。
【考案を実施するための形態】
【０００８】  表面に当たる部分の金属部をハート型に形成し、上部凹部にてクロスし、裏面に当たる部分を表面部分より小さな逆向きのハート型に形成する。
【図１】
0003154512.tif 000003
【図２】
0003154512.tif 000004
【図３】
0003154512.tif 000005